(57)【要約】【課題】逆浸透膜モジュールにおける拡散を抑制でき、効率的な水処理を実現できる水処理装置及び水処理装置の運転方法を提供する。【解決手段】水処理装置５は、精密ろ過膜モジュール１７と、精密ろ過膜モジュール１７とＲＯ送液ポンプＰ１を介して直接に接続される逆浸透膜モジュール１９とを有する装置であって、逆浸透膜モジュール１９を透過した透過水を、逆浸透膜モジュール１９の一次側に供給する透過水供給ラインＬ２を備え、精密ろ過膜モジュール１７の逆洗の際に、透過水供給ラインＬ２から供給される透過水を逆浸透膜モジュール１９の一次側に導入し、当該一次側と逆浸透膜モジュール１９の二次側との電気伝導率の差を小さくする。【選択図】図１
2014057911.tif 000002
【特許請求の範囲】
【請求項１】
ろ過装置と、当該ろ過装置とポンプを介して直接に接続される逆浸透膜モジュールとを有する水処理装置であって、
前記逆浸透膜モジュールを透過した透過水を、前記逆浸透膜モジュールの一次側に供給する透過水供給ラインを備え、
前記ろ過装置の逆洗の際に、前記透過水供給ラインから供給される前記透過水を前記逆浸透膜モジュールの一次側に導入することを特徴とする水処理装置。
【請求項２】
前記ろ過装置の逆洗の際に、前記逆浸透膜の前記一次側と二次側との電気伝導率の差が５０μＳ／ｃｍ以下となるように、前記透過水供給ラインから供給される前記透過水を前記逆浸透膜モジュールの一次側に導入することを特徴とする、請求項１記載の水処理装置。
【請求項３】
前記透過水供給ラインは、前記ろ過装置の二次側に前記透過水を更に供給し、
前記ろ過装置の逆洗に前記透過水を用いることを特徴とする、請求項１又は２記載の水処理装置。
【請求項４】
前記逆浸透膜モジュールの前記一次側から排出される濃縮水を、前記ろ過装置の二次側に供給する濃縮水供給ラインを備え、
前記ろ過装置の逆洗に前記濃縮水を用いることを特徴とする、請求項１〜３のいずれか一項記載の水処理装置。
【請求項５】
前記逆浸透膜モジュールの前記一次側から排出される濃縮水を、前記ろ過装置の二次側に供給する濃縮水供給ラインを備え、
前記透過水供給ラインは、前記ろ過装置の二次側に前記透過水を更に供給し、
前記ろ過装置の逆洗に前記透過水及び前記濃縮水を用いることを特徴とする、請求項１又は２記載の水処理装置。
【請求項６】
前記逆浸透膜モジュールを透過した前記透過水を貯留する透過水貯留槽を備え、
前記透過水供給ラインの上流側が前記透過水貯留槽に接続されていることを特徴とする、請求項１〜５のいずれか一項記載の水処理装置。
【請求項７】
前記ろ過装置が、精密ろ過膜モジュール及び／又は砂ろ過装置であることを特徴とする、請求項１〜６のいずれか一項記載の水処理装置。
【請求項８】
ろ過装置と、当該ろ過装置とポンプを介して直接に接続される逆浸透膜モジュールとを有する水処理装置の運転方法であって、
前記ろ過装置の逆洗の際に、前記逆浸透膜モジュールを透過した前記透過水を当該逆浸透膜モジュールの一次側に導入し、当該一次側と前記逆浸透膜モジュールの二次側との電気伝導率の差を小さくすることを特徴とする、水処理装置の運転方法。
【発明の詳細な説明】
【技術分野】
【０００１】
本発明は、水処理装置及び水処理装置の運転方法に関する。
【背景技術】
【０００２】
河川水、湖沼水または地下水などの原水（被処理水）からろ過膜を利用して処理水を生成する水処理装置は、従来から知られている。例えば、特許文献１に記載の水処理装置は、精密ろ過膜モジュールと逆浸透膜モジュールとを備え、精密ろ過膜モジュールと逆浸透膜モジュールとが直接に接続されており、精密ろ過膜モジュールで被処理水をろ過して一次処理水を生成した後に、逆浸透膜モジュールで一次処理水をろ過して二次処理水を生成している。
【先行技術文献】
【特許文献】
【０００３】
【特許文献１】国際公開ＷＯ２０１０／０８４９６２号パンフレット
【発明の概要】
【発明が解決しようとする課題】
【０００４】
ところで、精密ろ過膜モジュールと逆浸透膜モジュールとが直接に接続される構成では、精密ろ過膜モジュールの逆洗の際、逆浸透膜モジュールへの一次処理水の供給が停止される。このとき、一次処理水が供給されない逆浸透膜モジュールでは、逆浸透膜を挟んだ一次側と二次側との間で電気伝導率が異なる状態が維持される。当該電気伝導率の差により、逆浸透膜の一次側から二次側に不純物の拡散が生じるため、二次側の処理水の電気伝導率が所望する値よりも高くなるという問題が起きる。その後、逆浸透膜モジュールへの一次処理水の供給を再開した場合、逆浸透膜モジュールから供給される透過水の電気伝導率は、所望の値よりも高くなる。電気伝導率が所望の値以下となるまでに供給される透過水は、不適合水となるため、廃棄せざるを得ず、効率的な水処理が実現できなくなるおそれがある。
【０００５】
本発明は、上記課題を解決するためになされたものであり、逆浸透膜モジュールにおける拡散を抑制でき、効率的な水処理を実現できる水処理装置及び運転方法を提供することを目的とする。
【課題を解決するための手段】
【０００６】
上記課題を解決するために、本発明に係る水処理装置は、ろ過装置と、当該ろ過装置とポンプを介して直接に接続される逆浸透膜モジュールとを有する水処理装置であって、逆浸透膜モジュールを透過した透過水を、逆浸透膜モジュールの一次側に供給する透過水供給ラインを備え、ろ過装置の逆洗の際に、透過水供給ラインから供給される透過水を逆浸透膜モジュールの一次側に導入することを特徴とする。
【０００７】
この水処理装置では、逆浸透膜モジュールを透過した透過水を、逆浸透膜モジュールの一次側に供給する透過水供給ラインを備えている。このような構成において、水処理装置では、ろ過装置の逆洗の際に、透過水供給ラインから供給される透過水を逆浸透膜モジュールの一次側に導入する。これにより、ろ過装置において逆洗が実施される際、逆浸透膜モジュールへの被処理水の供給が停止されたときに、逆浸透膜モジュールにおいて逆浸透膜の一次側と二次側との電気伝導率の差による不純物の拡散を抑制できる。したがって、不適合水が生成されないため、効率的な水処理を実現できる。
【０００８】
一実施形態においては、ろ過装置の逆洗の際に、逆浸透膜の一次側と二次側との電気伝導率の差が５０μＳ／ｃｍ以下となるように、透過水供給ラインから供給される透過水を逆浸透膜モジュールの一次側に導入する。このように、電気伝導率の差を５０μＳ／ｃｍ以下とすることにより、逆浸透膜における拡散をより好適に抑制できる。
【０００９】
一実施形態においては、透過水供給ラインは、ろ過装置の二次側に透過水を更に供給し、ろ過装置の逆洗に透過水を用いる。このような構成によれば、水処理の過程で生成される透過水をろ過装置の逆洗に用いるため、ろ過装置の逆洗用の水を用意する必要がない。したがって、より効率的な水処理が実現可能となる。
【００１０】
一実施形態においては、逆浸透膜モジュールの一次側から排出される濃縮水を、ろ過装置の二次側に供給する濃縮水供給ラインを備え、ろ過装置の逆洗に濃縮水を用いる。このように、ろ過装置の逆洗に本来廃棄される濃縮水を用いることにより、逆洗用の水を用意する必要がないので、より効率的な水処理が実現可能となる。
【００１１】
一実施形態においては、逆浸透膜モジュールの一次側から排出される濃縮水を、ろ過装置の二次側に供給する濃縮水供給ラインを備え、透過水供給ラインは、ろ過装置の二次側に透過水を更に供給し、ろ過装置の逆洗に透過水及び濃縮水を用いる。これにより、逆洗に用いる水量を十分に確保できると共に、処理された透過水の使用量を減少できるため、より効率的な水処理が実現可能となる。
【００１２】
一実施形態においては、逆浸透膜モジュールを透過した透過水を貯留する透過水貯留槽を備え、透過水供給ラインの上流側が透過水貯留槽に接続されている。このような構成によれば、安定的に透過水を供給できる。
【００１３】
一実施形態においては、ろ過装置が精密ろ過膜モジュール及び／又は砂ろ過装置である。このような構成によれば、精密ろ過膜モジュール及び／又は砂ろ過装置により清澄化した一次処理水を逆浸透膜モジュールへ供給することができる。
【００１４】
本発明に係る運転方法は、ろ過装置と、当該ろ過装置とポンプを介して直接に接続される逆浸透膜モジュールとを有する水処理装置の運転方法であって、ろ過装置の逆洗の際に、逆浸透膜モジュールを透過した透過水を当該逆浸透膜モジュールの一次側に導入し、当該一次側と逆浸透膜モジュールの二次側との電気伝導率の差を小さくする。
【発明の効果】
【００１５】
本発明によれば、逆浸透膜モジュールにおける拡散を抑制でき、効率的な水処理を実現できる。
【図面の簡単な説明】
【００１６】
【図１】第１実施形態に係る水処理装置を含む水処理システムの構成を模式的に示す図である。
【図２】第２実施形態に係る水処理装置を含む水処理システムの構成を模式的に示す図である。
【図３】第３実施形態に係る水処理装置を含む水処理システムの構成を模式的に示す図である。
【発明を実施するための形態】
【００１７】
以下、添付図面を参照して、本発明の好適な実施形態について詳細に説明する。なお、図面の説明において同一又は相当要素には同一符号を付し、重複する説明は省略する。
【００１８】
［第１実施形態］
図１は、第１実施形態に係る水処理装置を含む水処理システムの構成を模式的に示す図である。図１に示すように、水処理システム１は、前処理部３と、水処理装置５と、後処理部７とを備えている。
【００１９】
前処理部３は、原水タンク９と、活性炭前処理塔１１と、貯留タンク１３とを備えている。原水タンク９は、工業用水や工場廃水や河川水といった原水（被処理水）を一時的に貯留するためのタンクである。活性炭前処理塔１１では、不純物等を取り除き前処理水（被処理水）とし、この前処理水は、貯留タンク１３に貯留される。そして、貯留タンク１３内の前処理水は、ＭＦ送液ポンプＰ１によって水処理装置５に供給される。
【００２０】
水処理装置５は、精密ろ過膜（以下、ＭＦ（Microfiltlation）膜という）モジュール（ろ過装置）１７と、逆浸透膜（以下、ＲＯ（Reverse Osmosis）膜という）モジュール１９と、貯留タンク（透過水貯留槽）２１とを含んで構成されている。ＭＦ膜モジュール１７には、ＭＦ送液ポンプＰ１により、貯留タンク１３から前処理水が供給される。ＭＦ膜モジュール１７は、前処理水をろ過して一次処理水を生成する。ＭＦ膜モジュール１７は、複数のＭＦ膜モジュールによりユニットとして構成されていてもよい。
【００２１】
ＲＯ膜モジュール１９には、ＲＯ送液ポンプＰ２により、一次処理水が供給される。ＲＯ膜モジュール１９は、ＭＦ膜モジュール１７から供給された一次処理水をろ過し、二次処理水（以下、透過水）を生成して貯留タンク２１に供給する。ＲＯ膜モジュール１９は、複数のＲＯ膜モジュールによりユニットとして構成されていてもよい。ＭＦ膜モジュール１７及びＲＯ膜モジュール１９は、例えばコンテナに収容されていてもよい。
【００２２】
貯留タンク２１は、ＲＯ膜モジュール１９のＲＯ膜１９ａを透過した透過水を一次的に貯留する。ＲＯ膜モジュール１９と貯留タンク２１とは、接続ラインＬにより接続されている。接続ラインＬには、バルブＢが設けられている。
【００２３】
ＭＦ膜モジュール１７とＲＯ膜モジュール１９とは、接続ラインＬ１によって直接に接続されている。なお、本実施形態におけるラインとは、管部材（パイプ）を示す。ここで、直接に接続されるとは、中間タンクなどを介せずに接続されることであり、ＭＦ膜モジュール１７とＲＯ膜モジュール１９とが液密に閉塞されていることを示す。ＭＦ膜モジュール１７で処理された一次処理水は、ＲＯ送液ポンプＰ２によって直接にＲＯ膜モジュール１９に供給される。
【００２４】
貯留タンク２１は、透過水供給ラインＬ２により接続ラインＬ１と接続されている。透過水供給ラインＬ２は、ＲＯ膜モジュール１９を透過して貯留タンク２１に貯留された透過水を、ＲＯ膜モジュール１９の一次側に供給するラインである。透過水供給ラインＬ２は、接続ラインＬ１において、ＭＦ膜モジュール１７の下流側でＲＯ送液ポンプＰ２の上流側に接続されている。貯留タンク２１の透過水は、送液ポンプＰ３によって透過水供給ラインＬ２を介して接続ラインＬ１に供給される。透過水供給ラインＬ２には、送液ポンプＰ３の下流側にバルブＢ１が設けられている。なお、透過水供給ラインＬ２は、ＲＯ送液ポンプＰ２の下流側に接続されてもよい。
【００２５】
ＲＯ膜モジュール１９から濃縮水を排出する排出ラインＬ３には、濃縮水供給ラインＬ４が接続されている。濃縮水供給ラインＬ４は、ＭＦ膜モジュール１７の二次側に濃縮水を供給するラインであり、接続ラインＬ１に接続されている。濃縮水供給ラインＬ４は、接続ラインＬ１において、ＭＦ膜モジュール１７の下流側で透過水供給ラインＬ２の接続部分（ＲＯ送液ポンプＰ２）の上流側に接続されている。濃縮水供給ラインＬ４には、バルブＢ４が設けられている。接続ラインＬ１には、透過水供給ラインＬ２の接続部分と濃縮水供給ラインＬ４の接続部分との間に、バルブＢ２が設けられている。排出ラインＬ３には、濃縮水供給ラインＬ４の接続部分の下流側にバルブＢ３が設けられている。
【００２６】
また、透過水供給ラインＬ２と濃縮水供給ラインＬ４とは、接続ラインＬ５により接続されている。接続ラインＬ５は、透過水供給ラインＬ２から濃縮水供給ラインＬ４に透過水を供給する。接続ラインＬ５には、バルブＢ５が設けられている。
【００２７】
後処理部７は、イオン交換樹脂塔２３と、純水タンク２５とを備えている。ＲＯ膜ユニット８により処理され、一時的に貯留タンク２１に貯留された透過水は、イオン交換樹脂塔２３でイオン交換を行った後に純水タンク２５に流れる。
【００２８】
上記の構成を有する水処理システム１では、前処理部３から水処理装置５のＭＦ膜モジュール１７に前処理水が供給され、ＭＦ膜モジュール１７及びＲＯ膜モジュール１９を通過することにより、透過水が生成される。このとき、水処理装置５では、例えば電気伝導率が２８０μＳ／ｃｍの一次処理水をＲＯ膜モジュール１９に導入し、この一次処理水を処理することにより、電気伝導率が１１μＳ／ｃｍ以下の透過水を生成することができた。なお、電気導電率は、図示しない計測器により計測される。また、このとき、ＲＯ膜モジュール１９の回収率を７０％とすると、ＲＯ膜モジュール１９から排出される濃縮水の電気伝導率は９３３μＳ／ｃｍであった。よって、この状態でＭＦ膜モジュール１７の逆洗を実施した場合、ＲＯ膜モジュール１９の一次側と二次側との間では、９２２μＳ／ｃｍの差が生じる恐れがある。
【００２９】
続いて、水処理装置５におけるＭＦ膜モジュール１７の逆洗時の動作について説明する。ＭＦ膜モジュール１７の逆洗を行うときには、まずバルブＢ，Ｂ２，Ｂ３を閉じると共に、バルブＢ１，Ｂ４，Ｂ５を開放する。次に、送液ポンプＰ２及びＲＯ送液ポンプＰ２により、透過水供給ラインＬ２を介してＲＯ膜モジュール１９に透過水を供給する。
【００３０】
このとき、貯留タンク２１から供給される透過水の一部（例えば１／２の量）がＲＯ膜モジュール１９に供給される。これにより、ＲＯ膜モジュール１９の一次側の一次処理水が透過水に置き換えられる、或いは、処理水と透過水とが混合されることにより、一次側の処理水の電気伝導率が小さくなる。ＲＯ膜モジュール１９の一次側と二次側との電気伝導率の差は、例えば５０μＳ／ｃｍ以下とされることが好ましい。
【００３１】
また、ＲＯ膜モジュール１９に透過水が供給されることによりＲＯ膜モジュール１９から排出される濃縮水と、接続ラインＬ５を介して供給される透過水の一部（例えば１／２の量）とが、濃縮水供給ラインＬ４を介してＭＦ膜モジュール１７の二次側に供給される。これにより、ＭＦ膜モジュール１７の逆洗が行われる。以上のように、ＭＦ膜モジュール１７の逆洗が実施される。なお、ＭＦ膜モジュール１７の逆洗時において、ＲＯ膜モジュール１９の一次側への透過水の供給は、逆洗時に毎回実施されることは必須ではなく、逆洗を数回実施するうちの１回でもよい。
【００３２】
以上説明したように、本実施形態では、ＲＯ膜モジュール１９を透過した透過水を、ＲＯ膜モジュール１９の一次側に供給する透過水供給ラインＬ２を備えている。このような構成において、水処理装置５では、ＭＦ膜モジュール１７の逆洗の際に、透過水供給ラインＬ２から供給される透過水をＲＯ膜モジュール１９の一次側に導入し、この一次側とＲＯ膜モジュール１９の二次側との電気伝導率の差を小さくする。これにより、ＭＦ膜モジュール１７において逆洗が実施される際、ＭＦ膜モジュール１７からの一次処理水の供給が停止したときに、ＲＯ膜モジュール１９においてＲＯ膜１９ａを挟んだ一次側と二次側との電気伝導率の差に起因する拡散を抑制できる。したがって、所定の電気伝導率以上の不適合水が生成さることを抑制できるため、効率的に水処理を行うことができる。
【００３３】
また、本実施形態では、ＲＯ膜モジュール１９から排出される濃縮水と貯留タンク２１に貯留される透過水とをＭＦ膜モジュール１７の逆洗に用いている。このように、ＭＦ膜モジュール１７の逆洗に、透過水と本来廃棄される濃縮水とを用いることにより、逆洗に必要な水量を十分に確保できると共に、逆洗用の水を準備することなく、水処理の過程で生成される水により逆洗を実施できる。したがって、効率的な水処理が実現できる。
【００３４】
また、送液ポンプＰ３は、透過水供給ラインＬ２への透過水の供給と、ＭＦ膜モジュール１７の逆洗とに用いられている。このように、送液ポンプＰ２により、透過水の供給と逆洗とを行うことにより、設備の簡易化を図ることができる。
【００３５】
［第２実施形態］
続いて、第２実施形態に係る水処理装置について説明する。図２は、第２実施形態に係る水処理装置を含む水処理装置の構成を模式的に示す図である。図２に示すように、水処理システム１Ａは、水処理装置５Ａの構成が第１実施形態と異なっている。
【００３６】
水処理装置５Ａでは、貯留タンク２１は、透過水供給ラインＬ２により接続ラインＬ１と接続されている。透過水供給ラインＬ２は、ＲＯ膜モジュール１９を透過して貯留タンク２１に貯留された透過水を、ＲＯ膜モジュール１９の一次側に供給するラインである。透過水供給ラインＬ２は、接続ラインＬ１において、ＭＦ膜モジュール１７の下流側でＲＯ送液ポンプＰ２の上流側に接続されている。貯留タンク２１の透過水は、送液ポンプＰ３によって透過水供給ラインＬ２を介して接続ラインＬ１に供給される。透過水供給ラインＬ２には、送液ポンプＰ３の下流側にバルブＢ１が設けられている。なお、透過水供給ラインＬ２は、ＲＯ送液ポンプＰ２の下流側に接続されてもよい。
【００３７】
ＲＯ膜モジュール１９から濃縮水を排出する排出ラインＬ３には、濃縮水供給ラインＬ４が接続されている。濃縮水供給ラインＬ４は、ＭＦ膜モジュール１７の二次側に濃縮水を供給するラインであり、接続ラインＬ１に接続されている。濃縮水供給ラインＬ４は、接続ラインＬ１において、ＭＦ膜モジュール１７の下流側で透過水供給ラインＬ２の接続部分（ＲＯ送液ポンプＰ２）の上流側に接続されている。濃縮水供給ラインＬ４には、バルブＢ４が設けられている。接続ラインＬ１には、透過水供給ラインＬ２の接続部分と濃縮水供給ラインＬ４の接続部分との間に、バルブＢ２が設けられている。排出ラインＬ３には、濃縮水供給ラインＬ４の接続部分の下流側にバルブＢ３が設けられている。
【００３８】
続いて、水処理装置５ＡにおけるＭＦ膜モジュール１７の逆洗時の動作について説明する。ＭＦ膜モジュール１７の逆洗を行うときには、まずバルブＢ，Ｂ２，Ｂ３を閉じると共に、バルブＢ１，Ｂ４を開放する。次に、送液ポンプＰ２及びＲＯ送液ポンプＰ２により、透過水供給ラインＬ２を介してＲＯ膜モジュール１９に透過水を供給する。
【００３９】
これにより、ＲＯ膜モジュール１９の一次側の一次処理水が透過水に置き換えられる、或いは、処理水と透過水とが混合されることにより、一次側の処理水の電気伝導率が小さくなる。ＲＯ膜モジュール１９の一次側と二次側との電気伝導率の差は、例えば５０μＳ／ｃｍ以下とされることが好ましい。
【００４０】
また、ＲＯ膜モジュール１９に透過水が供給されることによりＲＯ膜モジュール１９から排出される濃縮水が、排出ラインＬ３及び濃縮水供給ラインＬ４を介してＭＦ膜モジュール１７の二次側に供給される。これにより、ＭＦ膜モジュール１７の逆洗が行われる。以上のように、ＭＦ膜モジュール１７の逆洗が実施される。なお、ＭＦ膜モジュール１７の逆洗時において、ＲＯ膜モジュール１９の一次側への透過水の供給は、逆洗時に毎回実施されることは必須ではなく、逆洗を数回実施するうちの１回でもよい。
【００４１】
［第３実施形態］
続いて、第３実施形態について説明する。図３は、第３実施形態に係る水処理装置を含む水処理システムの構成を模式的に示す図である。図３に示すように、水処理システム１Ｂは、水処理装置５Ｂ構成が第１及び第２実施形態と異なっている。
【００４２】
水処理装置５Ｂでは、貯留タンク２１は、透過水供給ラインＬ６により接続ラインＬ１と接続されている。透過水供給ラインＬ２は、ＲＯ膜モジュール１９を透過して貯留タンク２１に貯留された透過水を、ＲＯ膜モジュール１９の一次側及びＭＦ膜モジュール１７に供給するラインである。透過水供給ラインＬ６には、第１分岐ラインＬ６ａと、第２分岐ラインＬ６ｂとが設けられている。
【００４３】
第１分岐ラインＬ６ａは、接続ラインＬ１において、ＲＯ送液ポンプＰ２の下流側に接続されている。第１分岐ラインＬ６ａには、バルブＢ６が設けられている。第２分岐ラインＬ６ｂは、接続ラインＬ１において、ＲＯ送液ポンプＰ２の上流側に接続されている。第２分岐ラインＬ６ａには、バルブＢ７が設けられている。
【００４４】
続いて、水処理装置５ＢにおけるＭＦ膜モジュール１７の逆洗時の動作について説明する。ＭＦ膜モジュール１７の逆洗を行うときには、まずバルブＢ，Ｂ２，Ｂ７を閉じると共に、バルブＢ６開放する。次に、送液ポンプＰ２により、透過水供給ラインＬ６及び第１分岐ラインＬ６ａを介してＲＯ膜モジュール１９に透過水を供給する。なお、透過水供給ラインＬ６ａは、ＲＯ送液ポンプＰ２の上流側に接続されてもよい。
【００４５】
これにより、ＲＯ膜モジュール１９の一次側の一次処理水が透過水に置き換えられる、或いは、処理水と透過水とが混合されることにより、一次側の処理水の電気伝導率が小さくなる。ＲＯ膜モジュール１９の一次側と二次側との電気伝導率の差は、例えば５０μＳ／ｃｍ以下とされることが好ましい。
【００４６】
続いて、バルブＢ６を閉じると共に、バルブＢ７を開放する。次に、送液ポンプＰ２により、透過水供給ラインＬ６及び第１分岐ラインＬ６ｂを介してＭＦ膜モジュール１７の二次側に透過水を供給する。これにより、ＭＦ膜モジュール１７の逆洗が行われる。以上のように、ＭＦ膜モジュール１７の逆洗が実施される。なお、ＭＦ膜モジュール１７の逆洗時において、ＲＯ膜モジュール１９の一次側への透過水の供給は、逆洗時に毎回実施されることは必須ではなく、逆洗を数回実施するうちの１回でもよい。
【００４７】
本発明は、上記実施形態に限定されるものではない。本発明は、その要旨を逸脱しない範囲で様々な変形が可能である。例えば、ＭＦ膜モジュール１７は、砂ろ過装置等のろ過装置により構成されていてもよく、また、ＭＦ膜モジュール及び砂ろ過装置等を組み合わせて構成されていてもよい。砂ろ過装置は、ＭＦ膜モジュールと同様に前処理水を一次処理水とすることができ、ＭＦ膜モジュールと同様に逆洗が可能である。よって、上記実施形態において、ＭＦ膜モジュールを砂ろ過装置に置き換えて、本発明を実施することができる。本発明は、ＲＯ膜モジュール１９によりろ過された透過水がＲＯ膜モジュール１９の一次側に供給される構成であればよい。
【符号の説明】
【００４８】
１，１Ａ，１Ｂ…水処理装置、Ｌ２，Ｌ６…透過水供給ライン、Ｌ４…濃縮水供給ライン、１７…ＭＦ膜モジュール（精密ろ過膜モジュール）、１９…ＲＯ膜モジュール（逆浸透膜モジュール）、２１…貯留タンク（透過水貯留槽）、Ｐ２…ＲＯ送液ポンプ。
【図１】
2014057911.tif 000003
【図２】
2014057911.tif 000004
【図３】
2014057911.tif 000005